(57)【要約】【課題】次世代の地上デジタル放送伝送方式において適切な周波数インターリーブを施すこと。【解決手段】本発明に係る送信装置１において、周波数インターリーブ部１７は、第１階層データのＳＰパターン及び第２階層データのＳＰパターンに基づいて、部分受信帯域データを構成するセグメント単位で周波数インターリーブを施すか、或いは、部分受信帯域データを構成する全てのセグメント内においてデータキャリア単位で周波数インターリーブを施すように構成されており、周波数インターリーブ部１７は、非部分受信帯域データを構成する全てのセグメント内においてデータキャリア単位で周波数インターリーブを施すように構成されている。【選択図】図４
2018088677.tif 000002
【特許請求の範囲】
【請求項１】
ＯＦＤＭ信号によって少なくとも第１階層データ及び第２階層データを送信するように構成されている送信装置であって、
前記第１階層データ及び前記第２階層データの各々を構成する全てのセグメント内においてデータキャリア単位で周波数インターリーブを施すように構成されている階層内セグメント間インターリーブ部と、
前記階層内セグメント間インターリーブ部によって周波数インターリーブが施された前記第１階層データ及び前記第２階層データから、部分受信帯域データ及び非部分受信帯域データを生成するように構成されている分離合成部と、
前記部分受信帯域データ及び前記非部分受信帯域データに対して周波数インターリーブを施すように構成されている周波数インターリーブ部と、
前記周波数インターリーブ部によって周波数インターリーブが施された前記部分受信帯域データ及び前記非部分受信帯域データを含む前記ＯＦＤＭ信号を送信するように構成されている送信部とを具備しており、
前記周波数インターリーブ部は、前記第１階層データのＳＰパターン及び前記第２階層データのＳＰパターンに基づいて、前記部分受信帯域データを構成するセグメント単位で周波数インターリーブを施すか、或いは、前記部分受信帯域データを構成する全てのセグメント内においてデータキャリア単位で周波数インターリーブを施すように構成されており、
前記周波数インターリーブ部は、前記非部分受信帯域データを構成する全てのセグメント内においてデータキャリア単位で周波数インターリーブを施すように構成されていることを特徴とする送信装置。
【請求項２】
前記周波数インターリーブ部は、前記第１階層データのＳＰパターン及び第２階層データのＳＰパターンが異なる場合に、前記部分受信帯域データを構成するセグメント単位で周波数インターリーブを施すように構成することを特徴とする請求項１に記載の送信装置。
【請求項３】
前記周波数インターリーブ部は、前記部分受信帯域データを構成するセグメント単位で周波数インターリーブを施した後、或いは、前記部分受信帯域データを構成する全てのセグメント内においてデータキャリア単位で周波数インターリーブを施した後、前記部分受信帯域データを構成するセグメント内で、キャリアローテーション及びキャリアランダマイズを施すように構成されていることを特徴とする請求項１又は２に記載の送信装置。
【請求項４】
ＯＦＤＭ信号によって送信された少なくとも第１階層データ及び第２階層データを受信するように構成されている受信装置であって、
前記ＯＦＤＭ信号から、部分受信帯域データ及び非部分受信帯域データを取得するように構成されている帯域分離部と、
前記部分受信帯域データ及び前記非部分受信帯域データに対して周波数デインターリーブを施すように構成されている周波数デインターリーブ部と、
前記周波数デインターリーブ部によって周波数デインターリーブが施された前記部分受信帯域データ及び前記非部分受信帯域データから、前記第１階層データ及び前記第２階層データを取得するように構成されている合成分離部と、
前記第１階層データ及び前記第２階層データの各々を構成する全てのセグメント内においてデータキャリア単位で周波数デインターリーブを施すように構成されている階層内セグメント間デインターリーブ部とを具備しており、
前記周波数デインターリーブ部は、前記第１階層データのＳＰパターン及び前記第２階層データのＳＰパターンに基づいて、前記部分受信帯域データを構成するセグメント単位で周波数デインターリーブを施すか、或いは、前記部分受信帯域データを構成する全てのセグメント内においてデータキャリア単位で周波数デインターリーブを施すように構成されており、
前記周波数デインターリーブ部は、前記非部分受信帯域データを構成する全てのセグメント内においてデータキャリア単位で周波数デインターリーブを施すように構成されていることを特徴とする受信装置。
【請求項５】
前記周波数デインターリーブ部は、前記第１階層データのＳＰパターン及び第２階層データのＳＰパターンが異なる場合に、前記部分受信帯域データを構成するセグメント単位で周波数デインターリーブを施すように構成することを特徴とする請求項４に記載の受信装置。
【請求項６】
前記周波数デインターリーブ部は、前記部分受信帯域データを構成するセグメント単位で周波数デインターリーブを施した後、或いは、前記部分受信帯域データを構成する全てのセグメント内においてデータキャリア単位で周波数デインターリーブを施した後、前記部分受信帯域データを構成するセグメント内で、キャリアローテーション及びキャリアランダマイズを施すように構成されていることを特徴とする請求項４又は５に記載の受信装置。
【請求項７】
コンピュータを、請求項１〜３のいずれか一項に記載の送信装置として機能させるためのプログラムを実行するプロセッサによって構成されるチップ。
【請求項８】
コンピュータを、請求項４〜６のいずれか一項に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
日本の現行の地上デジタル放送伝送方式として、「ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）」が用いられている（例えば、非特許文献１参照）。
【０００３】
ＩＳＤＢ−Ｔでは、１つの放送波（チャネル）に割り当てられているＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって得られた複数のサブチャネルの周波数帯域が、１３個のセグメントに分割される。
【０００４】
ＩＳＤＢ−Ｔでは、１３個のセグメントのうちの１２個のセグメントが、非部分受信帯域データの送信（すなわち、固定受信向けのハイビジョン放送及び複数標準画質放送）に用いられ、残りの１セグメントが、部分受信帯域データの送信（すなわち、移動受信向けの放送）に用いられる。ここで、ＩＳＤＢ−Ｔでは、１３個のセグメントの周波数帯域において同時に非部分受信帯域データ及び部分受信帯域データが送信されるように規定されている。
【０００５】
現在、現行の地上デジタル放送伝送方式に代わる新たな次世代の地上デジタル放送伝送方式の検討が進められている。
【０００６】
かかる次世代の地上デジタル放送伝送方式では、家庭等に設けられている非部分受信帯域データを受信する受信装置に対して（すなわち、固定受信向けに）、従来のハイビジョン放送に代わり、３Ｄハイビジョン放送又はハイビジョン放送の１６倍の解像度を有するスーパーハイビジョン放送等のサービスを提供することが求められている。同様に、次世代の地上デジタル放送伝送方式では、部分受信帯域データを受信する受信装置に対して（すなわち、移動受信向けに）、ハイビジョン放送級のサービスを提供することが求められている。なお、次世代の地上デジタル放送伝送方式において、固定受信向け及び移動受信向けの２つのサービスを１つのチャネルを用いて同時に提供する必要があることは、現行のＩＳＤＢ−Ｔと同様である。
【０００７】
図１０（ａ）に、ＩＳＤＢ−Ｔのセグメント構造を示し、図１０（ｂ）に、次世代の地上デジタル放送伝送方式のノーマルモードのセグメント構造を示し、図１０（ｃ）に、次世代の地上デジタル放送伝送方式の互換モードのセグメント構造を示し、図１０（ｄ）に、次世代の地上デジタル放送伝送方式の拡張モードのセグメント構造を示す。
【０００８】
上述のように、図１０（ａ）に示すＩＳＤＢ−Ｔでは、１チャネルが、１３セグメントによって構成されており、５．５７ＭＨｚの帯域幅を有している。図１０（ｂ）に示すノーマルモードでは、１チャネルが、３３セグメントによって構成されており、５．５０ＭＨｚの帯域幅を有している。図１０（ｃ）に示す互換モードでは、１チャネルが、３３セグメント及び調整帯域（０．０７ＭＨｚ）によって構成されており、ＩＳＤＢ−Ｔの１チャネルと同じ５．５７ＭＨｚの帯域幅を有している。図１０（ｄ）に示す拡張モードでは、１チャネルが、３５セグメントによって構成されており、５．８３ＭＨｚの帯域幅を有している。
【０００９】
また、図１０（ａ）に示す例では、ＩＳＤＢ−Ｔの１チャネル内において、中央の１セグメントが部分受信帯域αであり、かかる部分受信帯域の両側に配置された１２個のセグメントが非部分受信帯域βである。
【００１０】
図１０（ａ）に示す非部分受信帯域βに設定されるデータ（すなわち、非部分受信帯域データ）に対しては、送信装置において、非部分受信帯域βを構成する１２セグメント内で周波数インターリーブが施される。
【００１１】
一方、図１０（ａ）に示す部分受信帯域αに設定されるデータ（すなわち、部分受信帯域データ）に対しては、送信装置において、部分受信帯域αを構成する１セグメント内で周波数インターリーブが施される。
【先行技術文献】
【非特許文献】
【００１２】
【非特許文献１】ＡＲＩＢ  ＳＴＤ−Ｂ３１「地上デジタルテレビジョン放送の伝送方式」
【発明の概要】
【発明が解決しようとする課題】
【００１３】
しかしながら、現時点では、ＩＳＤＢ−Ｔに対して利用可能な帯域が大幅に増加する次世代の地上デジタル放送伝送方式において、どのような周波数インターリーブを施すのが適切であるかについて規定されていないという問題点があった。
【００１４】
そこで、本発明は、上述した課題を解決するためになされたものであり、次世代の地上デジタル放送伝送方式において適切な周波数インターリーブを施すことができる送信装置、受信装置及びチップを提供することを目的とする。
【課題を解決するための手段】
【００１５】
本発明の第１の特徴は、ＯＦＤＭ信号によって第１階層データ及び第２階層データを送信するように構成されている送信装置であって、前記第１階層データ及び前記第２階層データの各々を構成する全てのセグメント内においてデータキャリア単位で周波数インターリーブを施すように構成されている階層内セグメント間インターリーブ部と、前記階層内セグメント間インターリーブ部によって周波数インターリーブが施された前記第１階層データ及び前記第２階層データから、部分受信帯域データ及び非部分受信帯域データを生成するように構成されている分離合成部と、前記部分受信帯域データ及び前記非部分受信帯域データに対して周波数インターリーブを施すように構成されている周波数インターリーブ部と、前記周波数インターリーブ部によって周波数インターリーブが施された前記部分受信帯域データ及び前記非部分受信帯域データを含む前記ＯＦＤＭ信号を送信するように構成されている送信部とを具備しており、前記周波数インターリーブ部は、前記第１階層データのＳＰパターン及び前記第２階層データのＳＰパターンに基づいて、前記部分受信帯域データを構成するセグメント単位で周波数インターリーブを施すか、或いは、前記部分受信帯域データを構成する全てのセグメント内においてデータキャリア単位で周波数インターリーブを施すように構成されており、前記周波数インターリーブ部は、前記非部分受信帯域データを構成する全てのセグメント内においてデータキャリア単位で周波数インターリーブを施すように構成されていることを要旨とする。
【００１６】
本発明の第２の特徴は、ＯＦＤＭ信号によって送信された第１階層データ及び第２階層データを受信するように構成されている受信装置であって、前記ＯＦＤＭ信号から、部分受信帯域データ及び非部分受信帯域データを取得するように構成されている帯域分離部と、前記部分受信帯域データ及び前記非部分受信帯域データに対して周波数デインターリーブを施すように構成されている周波数デインターリーブ部と、前記周波数デインターリーブ部によって周波数デインターリーブが施された前記部分受信帯域データ及び前記非部分受信帯域データから、前記第１階層データ及び前記第２階層データを取得するように構成されている合成分離部と、前記第１階層データ及び前記第２階層データの各々を構成する全てのセグメント内においてデータキャリア単位で周波数デインターリーブを施すように構成されている階層内セグメント間デインターリーブ部とを具備しており、前記周波数デインターリーブ部は、前記第１階層データのＳＰパターン及び前記第２階層データのＳＰパターンに基づいて、前記部分受信帯域データを構成するセグメント単位で周波数デインターリーブを施すか、或いは、前記部分受信帯域データを構成する全てのセグメント内においてデータキャリア単位で周波数デインターリーブを施すように構成されており、前記周波数デインターリーブ部は、前記非部分受信帯域データを構成する全てのセグメント内においてデータキャリア単位で周波数デインターリーブを施すように構成されていることを要旨とする。
【００１７】
本発明の第３の特徴は、コンピュータを、上述の第１の特徴に記載の送信装置として機能させるためのプログラムを実行するプロセッサによって構成されるチップであることを要旨とする。
【００１８】
本発明の第４の特徴は、コンピュータを、上述の第２の特徴に記載の受信装置として機能させるためのプログラムを実行するプロセッサによって構成されるチップであることを要旨とする。
【発明の効果】
【００１９】
本発明によれば、次世代の地上デジタル放送伝送方式において適切な周波数インターリーブを施すことができる送信装置、受信装置及びチップを提供することができる。
【図面の簡単な説明】
【００２０】
【図１】図１は、第１の実施形態に係る送信装置１の構成図の一例である。
【図２】図２は、次世代の地上デジタル放送伝送方式のセグメント構造の一例を示す図である。
【図３】図３は、第１の実施形態に係る送信装置１の階層内セグメント間インターリーブ部１５ａ、１５ｂの機能の一例を説明するための図である。
【図４】図４は、第１の実施形態に係る送信装置１の周波数インターリーブ部１７の構成図の一例である。
【図５】図５は、第１の実施形態に係る送信装置１の周波数インターリーブ部１７の階層間セグメント単位インターリーブ部１７１の機能の一例を説明するための図である。
【図６】図６は、第１の実施形態に係る送信装置１の周波数インターリーブ部１７のセグメント内インターリーブ部１７４、１７５の構成図の一例である。
【図７】図７は、第１の実施形態に係る送信装置１の周波数インターリーブ部１７のセグメント内インターリーブ部１７４、１７５のセグメント内キャリアローテーション部１７０１の機能の一例を説明するための図である。
【図８】図８は、第１の実施形態に係る受信装置３の構成図の一例である。
【図９】図９は、第１の実施形態に係る受信装置３の周波数デインターリーブ部３５の構成図の一例である。
【図１０】図１０は、ＩＳＤＢ−Ｔのセグメント構造及び次世代の地上デジタル放送伝送方式のセグメント構造の一例を示す図である。
【発明を実施するための形態】
【００２１】
（第１の実施形態）
以下、図１〜図９を参照して、本発明の第１の実施形態に係る放送システムについて説明する。本実施形態に係る放送システムは、上述の次世代の地上デジタル放送伝送方式に対応するように構成されており、例えば、図１に示す送信装置１及び図８に示す受信装置３を具備する。
【００２２】
本実施形態では、図２（ａ）に示す次世代の地上デジタル放送伝送方式のノーマルモード或いは図２（ｂ）に示す次世代の地上デジタル放送伝送方式の互換モードのセグメント構造が用いられるものとする。
【００２３】
本実施形態に係る送信装置１は、２階層までの階層伝送を行うように構成されている。具体的には、本実施形態に係る送信装置１は、Ａ階層データ及びＢ階層データを送信することができるように構成されている。例えば、Ａ階層データは、移動受信向けの放送用データであり、Ｂ階層データは、固定受信向けの放送用データであることが想定されている。
【００２４】
なお、本実施形態に係る送信装置１は、Ａ階層データ及びＢ階層データを、上述の部分受信帯域データ及び非部分受信帯域データを含むＯＦＤＭ信号によって送信するように構成されている。
【００２５】
図１に示すように、本実施形態に係る送信装置１は、マッピング部１１ａ、１１ｂと、レベル調整部１２ａ、１２ｂと、階層合成部１３と、時間インターリーブ部１４と、階層内セグメント間インターリーブ部１５ａ、１５ｂと、分離合成部１６と、周波数インターリーブ部１７と、帯域合成部１８と、ＯＦＤＭフレーム構成部１９と、ＩＦＦＴ部２０と、送信部２１とを具備している。
【００２６】
マッピング部１１ａは、Ａ階層データ（第１階層データ）をデータキャリアにマッピングするように構成されており、マッピング部１１ｂは、Ｂ階層データ（第２階層データ）をデータキャリアにマッピングするように構成されている。
【００２７】
レベル調整部１２ａは、Ａ階層データがマッピングされているデータキャリア（以下、Ａ階層データとする）のレベルを調整するように構成されており、レベル調整部１２ｂは、Ｂ階層データがマッピングされているデータキャリア（以下、Ｂ階層データとする）のレベルを調整するように構成されている。
【００２８】
階層合成部１３は、Ａ階層データ及びＢ階層データを合成するように構成されている。ここで、図２（ｂ）に示す互換モードのセグメント構造が用いられる場合、階層合成部１３は、かかる調整帯域γに配置されるデータキャリア（以下、調整帯域データとする）を分離して、帯域合成部１８に送信するように構成されている。かかる調整帯域γには、Ｂ階層データがマッピングされるものとする。
【００２９】
なお、図２（ａ）に示すノーマルモードのセグメント構造では、１チャネル内において、中央の９個のセグメントが部分受信帯域αであり、かかる部分受信帯域αの両側に配置された２４個のセグメントが非部分受信帯域βである。
【００３０】
また、図２（ｂ）に示す互換モードのセグメント構造では、１チャネル内において、中央の９個のセグメントが部分受信帯域αであり、かかる部分受信帯域αの両外側に配置された２４個のセグメントが非部分受信帯域βであり、かかる非部分受信帯域βの両外側に配置されるのが調整帯域γである。
【００３１】
一方、図１０（ｄ）に示す拡張モードのセグメント構造では、１チャネル内において、中央の９個のセグメントが部分受信帯域αであり、かかる部分受信帯域αの両外側に配置された２６個のセグメントが非部分受信帯域βである。
【００３２】
ここで、階層合成部１３は、周波数方向に等しい間隔でＢ階層データ（すなわち、Ｂ階層データがマッピングされているデータキャリア）を引き抜き、調整帯域データとするように構成されていてもよい。
【００３３】
時間インターリーブ部１４は、Ａ階層データ及びＢ階層データ（互換モードの場合、調整帯域データも）の各々に対して時間インターリーブを施すように構成されている。
【００３４】
階層内セグメント間インターリーブ部１５ａは、Ａ階層データを構成する全てのセグメント内においてデータキャリア単位で周波数インターリーブを施すように構成されている。
【００３５】
同様に、階層内セグメント間インターリーブ部１５ｂは、Ｂ階層データを構成する全てのセグメント内においてデータキャリア単位で周波数インターリーブを施すように構成されている。
【００３６】
ここで、図３（ａ）及び図３（ｂ）を参照して、階層内セグメント間インターリーブ部１５ａ、１５ｂによって行われる周波数インターリーブについて簡単に説明する。
【００３７】
図３（ａ）に、かかる周波数インターリーブ前のデータキャリアＳｉ（ｉ＝０〜ｎｚ−１）の配列を示し、図３（ｂ）に、かかる周波数インターリーブ後のデータキャリアＳｉ（ｉ＝０〜ｎｚ−１）の配列を示す。
【００３８】
ここで、ｎは、各階層データ（Ａ階層データ及びＢ階層データ）のセグメント数を示し、ｚは、１セグメント当たりのデータキャリア数を示す。なお、ｚは、ＳＰ（Ｓｃａｔｔｅｒｅｄ  Ｐｉｌｏｔ）間隔に基づいて決定される。例えば、ＦＦＴサイズが８ｋポイントである場合、ｚは、１７４、１９２、２０１のいずれかであり、ＦＦＴサイズが１６ｋポイントである場合、ｚは、１２７６、３４８、３８４、４０２、４１１のいずれかであり、ＦＦＴサイズが３２ｋポイントである場合、ｚは、５５２、６９６、７６８、８０４、８２２、８３６、８３８、８３９のいずれかである。
【００３９】
例えば、Ａ階層データのセグメント数ｎが７である場合、階層内セグメント間インターリーブ部１５ａは、Ａ階層データを構成する全てのセグメント０〜ｎ−１内においてデータキャリア単位で周波数インターリーブを施すように構成されている、すなわち、Ａ階層データがマッピングされているデータキャリアＳ０〜Ｓ１２１７を、図３（ａ）に示す配列から図３（ｂ）に示す配列に変更するように構成されている。
【００４０】
分離合成部１６は、Ａ階層データ及びＢ階層データから、部分受信帯域データ及び非部分受信帯域データを生成するように構成されている。
【００４１】
具体的には、分離合成部１６は、９個のセグメントからなる部分受信帯域αにＡ階層データを割り当てた後に空きがある場合にＢ階層データを割り当てることによって部分受信帯域データを生成し、２４個のセグメントからなる非部分受信帯域βにＢ階層データの残りを割り当てることによって非部分受信帯域データを生成するように構成されている。
【００４２】
例えば、Ａ階層データが９個未満のセグメントからなる場合、分離合成部１６は、Ｂ階層データのうちセグメント番号の低い方から順番に部分受信帯域αに割り当てていき、Ａ階層データ及びＢ階層データを合わせて９個のセグメントからなる部分受信帯域データを生成するように構成されていてもよい。
【００４３】
一方、Ａ階層データが９個のセグメントからなる場合、分離合成部１６は、Ａ階層データを部分受信帯域データとし、Ｂ階層データを非部分受信帯域データとするように構成されていてもよい。
【００４４】
周波数インターリーブ部１７は、部分受信帯域データ及び非部分受信帯域データの各々に対して所定の周波数インターリーブを施すように構成されている。
【００４５】
具体的には、周波数インターリーブ部１７は、Ａ階層データのＳＰパターン及びＢ階層データのＳＰパターンに基づいて、部分受信帯域データを構成するセグメント単位で周波数インターリーブを施すか、或いは、部分受信帯域データを構成する全てのセグメント内においてデータキャリア単位で周波数インターリーブを施すかについて決定するように構成されていてもよい。ここで、部分受信帯域データには、Ａ階層データのみが含まれている場合もあれば、Ａ階層データ及びＢ階層の両方が含まれている場合もある。
【００４６】
かかる構成によれば、Ａ階層データ（例えば、移動受信向け）及びＢ階層データ（例えば、固定受信向け）で受信する受信装置３が異なるために違うＳＰパターンを使用できるように検討されている次世代の地上デジタル放送伝送方式において、周波数インターリーブに対応することができる。
【００４７】
例えば、図４に示すように、周波数インターリーブ部１７は、階層間セグメント単位インターリーブ部１７１と、階層間セグメント間インターリーブ部１７２、１７３と、セグメント内インターリーブ部１７４、１７５とを具備している。
【００４８】
階層間セグメント単位インターリーブ部１７１は、部分受信帯域データを構成するセグメント単位で周波数インターリーブを施すように構成されている。例えば、階層間セグメント単位インターリーブ部１７１は、部分受信帯域データ（部分受信帯域α）を構成するセグメントＮｏ．０〜８を、図５（ａ）に示す配列から図５（ｂ）に示す配列に変更するように構成されている。
【００４９】
具体的には、Ａ階層データのＳＰパターン及びＢ階層データのＳＰパターンが異なる場合に、階層間セグメント単位インターリーブ部１７１は、部分受信帯域データを構成するセグメント単位で周波数インターリーブを施すように構成されていてもよい。
【００５０】
階層間セグメント間インターリーブ部１７２は、部分受信帯域データを構成する全てのセグメント内においてデータキャリア単位で周波数インターリーブを施すように構成されている。
【００５１】
具体的には、Ａ階層データのＳＰパターン及びＢ階層データのＳＰパターンが同じ場合に、階層間セグメント間インターリーブ部１７２は、部分受信帯域データを構成する全てのセグメント内においてデータキャリア単位で周波数インターリーブを施すように構成されていてもよい。
【００５２】
階層間セグメント間インターリーブ部１７３は、非部分受信帯域データを構成する全てのセグメント内においてデータキャリア単位で周波数インターリーブを施すように構成されている。なお、非部分受信帯域データがＢ階層データのみで構成されている場合には、Ａ階層データのＳＰパターン及びＢ階層データのＳＰパターンは同じになる。
【００５３】
セグメント内インターリーブ部１７４は、階層間セグメント単位インターリーブ部１７１によって周波数インターリーブが施された後、或いは、階層間セグメント間インターリーブ部１７２によって周波数インターリーブが施された後、部分受信帯域データを構成するセグメント内で、キャリアローテーション及びキャリアランダマイズを施すように構成されている。
【００５４】
セグメント内インターリーブ部１７５は、階層間セグメント間インターリーブ部１７３によって周波数インターリーブが施された後、非部分受信帯域データを構成するセグメント内で、キャリアローテーション及びキャリアランダマイズを施すように構成されている。
【００５５】
例えば、セグメント内インターリーブ部１７４、１７５の各々は、図６に示すように、セグメント内キャリアローテーション部１７０１と、セグメント内キャリアランダマイズ部１７０２とを具備している。
【００５６】
セグメント内キャリアローテーション部１７０１は、上述の周波数インターリーブが施された部分受信帯域データ（或いは、非部分受信帯域データ）を構成するセグメント内で、キャリアローテーションを施すように構成されている。
【００５７】
具体的には、セグメント内キャリアローテーション部１７０１は、上述の周波数インターリーブが施された部分受信帯域データ（或いは、非部分受信帯域データ）を構成するセグメント内で、データキャリアＳ’０〜Ｓ’ｚ−１の順番をＳ’（ｋ  ｍｏｄ  ｚ）〜Ｓ’（ｋ＋ｚ−１  ｍｏｄ  ｚ）という順番に変更するように構成されている。例えば、データキャリア数ｚが１７４である場合、セグメント内キャリアローテーション部１７０１は、上述の周波数インターリーブが施された部分受信帯域データ（或いは、非部分受信帯域データ）を構成するセグメントｋ内で、データキャリアＳ０〜Ｓ１７３を、図７（ａ）に示す配列から図７（ｂ）に示す配列に変更するように構成されている。
【００５８】
セグメント内キャリアランダマイズ部１７０２は、上述のセグメント（例えば、セグメントｋ）内で、セグメント内キャリアローテーション部１７０１によってキャリアローテーションが施されたデータキャリアの配列を変更するように構成されている。例えば、セグメント内キャリアランダマイズ部１７０２は、上述のセグメント（例えば、セグメントｋ）内で、所定テーブルに基づいて、かかるデータキャリアの配列をランダムに変更するように構成されていてもよい。
【００５９】
かかる構成によれば、次世代の地上デジタル放送伝送方式では、キャリアローテーション及びキャリアランダマイズのみを実施しているＩＳＤＢ−Ｔのワンセグ受信における周波数インターリーブを踏襲しつつ、前段の周波数インターリーブも追加実施することで、特性の向上を狙うことができる。
【００６０】
帯域合成部１８は、部分受信帯域データ及び非部分受信帯域データ（互換モードの場合は、調整帯域データも）を合成するように構成されている。例えば、帯域合成部１８は、１チャネル内において、中央の９セグメントに部分受信帯域データを配置し、部分受信帯域データ及び非部分受信帯域データを合成するように構成してもよい。
【００６１】
ＯＦＤＭフレーム構成部１９は、帯域合成部１８から入力した部分受信帯域データ及び非部分受信帯域データに応じて、ＯＦＤＭフレームを構成するように構成されており、ＩＦＦＴ部２０は、それぞれＯＦＤＭフレーム構成部１９から出力されたＯＦＤＭフレームに対してＩＦＦＴを施すように構成されている。
【００６２】
送信部２１は、それぞれＩＦＦＴ部２０から出力されたＯＦＤＭ信号を送信するように構成されている。すなわち、送信部２１は、部分受信帯域データ及び非部分受信帯域データ（互換モードの場合は、調整帯域データも）を含むＯＦＤＭ信号を送信するように構成されている。
【００６３】
本実施形態に係る受信装置３は、２階層までの階層伝送によって送信されたＡ階層データ及びＢ階層データを受信することができるように構成されている。
【００６４】
なお、本実施形態に係る受信装置３は、Ａ階層データ及びＢ階層データを、上述の部分受信帯域データ及び非部分受信帯域データを含むＯＦＤＭ信号によって受信するように構成されている。
【００６５】
本実施形態に係る受信装置３は、図８に示すように、受信部３１と、ＦＦＴ部３２と、デフレーム化部３３と、帯域分離部３４と、周波数デインターリーブ部３５と、合成分離部３６と、階層内セグメント間デインターリーブ部３７ａ、３７ｂと、時間デインターリーブ部３８と、階層分離部３９と、レベル調整部４０ａ、４０ｂと、デマッピング部４１ａ、４１ｂとを具備している。
【００６６】
受信部３１は、送信装置１によって送信されたＯＦＤＭ信号を受信するように構成されている。
【００６７】
ＦＦＴ部３２は、受信部３１によって受信されたＯＦＤＭ信号に対してＦＦＴを施すように構成されている。
【００６８】
デフレーム化部３３は、ＦＦＴ部３２からの出力に基づいて、部分受信帯域データ及び非部分受信帯域データ（互換モードの場合は、調整帯域データも）の合成データを取得するように構成されている。
【００６９】
帯域分離部３４は、デフレーム化部３３から出力された合成データから、部分受信帯域データ及び非部分受信帯域データ（互換モードの場合は、調整帯域データも）を分離して取得するように構成されている。
【００７０】
周波数デインターリーブ部３５は、部分受信帯域データ及び非部分受信帯域データの各々に対して、上述の周波数インターリーブ部１７において施された所定の周波数インターリーブに対応する周波数デインターリーブを施すように構成されている。
【００７１】
例えば、図９に示すように、周波数デインターリーブ部３５は、セグメント内デインターリーブ部３５１、３５２と、階層間セグメント単位デインターリーブ部３５３と、階層間セグメント間デインターリーブ部３５４、３５５と、を具備している。
【００７２】
セグメント内デインターリーブ部３５１は、部分受信帯域データを構成するセグメント内で、セグメント内インターリーブ部１７４によって施されたキャリアローテーション及びキャリアランダマイズの逆の処理を施すように構成されている。
【００７３】
セグメント内デインターリーブ部３５２は、非部分受信帯域データを構成するセグメント内で、セグメント内インターリーブ部１７５によって施されたキャリアローテーション及びキャリアランダマイズの逆の処理を施すように構成されている。
【００７４】
階層間セグメント単位デインターリーブ部３５３は、部分受信帯域データを構成するセグメント単位で周波数デインターリーブを施すように構成されている。かかる周波数デインターリーブは、階層間セグメント単位インターリーブ部１７１によって施される周波数インターリーブに対応する、すなわち、かかる周波数インターリーブの逆の処理である。
【００７５】
具体的には、Ａ階層データのＳＰパターン及びＢ階層データのＳＰパターンが異なる場合に、階層間セグメント単位デインターリーブ部３５３は、部分受信帯域データを構成するセグメント単位で周波数デインターリーブを施すように構成されていてもよい。
【００７６】
階層間セグメント間デインターリーブ部３５４は、部分受信帯域データを構成する全てのセグメント内においてデータキャリア単位で周波数デインターリーブを施すように構成されている。かかる周波数デインターリーブは、階層間セグメント間インターリーブ部１７２によって施される周波数インターリーブに対応する、すなわち、かかる周波数インターリーブの逆の処理である。
【００７７】
具体的には、Ａ階層データのＳＰパターン及びＢ階層データのＳＰパターンが同じ場合に、階層間セグメント間デインターリーブ部３５４は、部分受信帯域データを構成する全てのセグメント内においてデータキャリア単位で周波数デインターリーブを施すように構成されていてもよい。
【００７８】
階層間セグメント間デインターリーブ部３５５は、非部分受信帯域データを構成する全てのセグメント内においてデータキャリア単位で周波数デインターリーブを施すように構成されている。かかる周波数デインターリーブは、階層間セグメント間インターリーブ部１７２によって施される周波数インターリーブに対応する、すなわち、かかる周波数インターリーブの逆の処理である。なお、非部分受信帯域データがＢ階層データのみで構成されている場合には、Ａ階層データのＳＰパターン及びＢ階層データのＳＰパターンは同じになる。
【００７９】
合成分離部３６は、部分受信帯域データ及び非部分受信帯域データから、Ａ階層データ及びＢ階層データを取得するように構成されている。
【００８０】
階層内セグメント間デインターリーブ部３７ａは、Ａ階層データを構成する全てのセグメント内においてデータキャリア単位で周波数デインターリーブを施すように構成されている。
【００８１】
同様に、階層内セグメント間デインターリーブ部３７ｂは、Ｂ階層データを構成する全てのセグメント内においてデータキャリア単位で周波数デインターリーブを施すように構成されている。
【００８２】
時間デインターリーブ部３８は、Ａ階層データ及びＢ階層データ（互換モードの場合は、調整帯域データも）の各々に対して時間デインターリーブを施すように構成されている。
【００８３】
階層分離部３９は、Ａ階層データ及びＢ階層データを分離するように構成されている。ここで、図２（ｂ）に示す互換モードのセグメント構造が用いられる場合、階層分離部３９は、調整帯域データに含まれているＢ階層データも抽出するように構成されていてもよい。すなわち、階層分離部３９は、時間デインターリーブ部３８から出力されたＢ階層データに対して、調整帯域データを等間隔で挿入するように構成されている。
【００８４】
レベル調整部４０ａは、Ａ階層データのレベルを調整するように構成されており、レベル調整部４０ｂは、Ｂ階層データのレベルを調整するように構成されている。
【００８５】
デマッピング部４１ａは、データキャリアからＡ階層データをデマッピングするように構成されており、マッピング部４１ｂは、データキャリアからＢ階層データをデマッピングするように構成されている。
【００８６】
本実施形態に係る放送システムによれば、ＩＳＤＢ−Ｔの部分受信部は１セグメント内のみで周波数インターリーブを行っていたため、携帯端末等で受信する移動受信環境において、周波数インターリーブの効果が低かったが、例えＡ階層データが送信されるセグメント数が３であっても、Ｂ階層データが送信される６セグメントと合成し、９セグメントの広帯域の周波数インターリーブを実施することが可能であるため、移動受信環境においても十分な周波数インターリーブの効果を発揮することが出来る。
【００８７】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００８８】
上述の実施形態では、１本の送受信アンテナによるＳＩＳＯ（Ｓｉｎｇｌｅ−Ｉｎｐｕｔ  Ｓｉｎｇｌｅ−Ｏｕｔｐｕｔ）が適用されているケースを挙げて説明しているが、本発明は、かかるケースに限定されることはなく、複数本の送受信アンテナによるＭＩＭＯ（Ｍｕｌｔｉ−Ｉｎｐｕｔ  Ｍｕｌｔｉ−Ｏｕｔｐｕｔ）が適用されているケース等にも適用可能である。
【００８９】
また、上述の実施形態では、２階層までの階層伝送を行うケースを例に挙げて説明したが、本発明は、かかるケースに限定されることなく、３階層までの階層伝送を行うケースにも適用可能である。
【００９０】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００９１】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【００９２】
１…送信装置
１１ａ、１１ｂ…マッピング部
１２ａ、１２ｂ…レベル調整部
１３…階層合成部
１４…時間インターリーブ部
１５ａ、１５ｂ…階層内セグメント間インターリーブ部
１６…分離合成部
１７…周波数インターリーブ部
１７１…階層間セグメント単位インターリーブ部
１７２、１７３…階層間セグメント間インターリーブ部
１７４、１７５…セグメント内インターリーブ部
１７０１…セグメント内キャリアローテーション部
１７０２…セグメント内キャリアランダマイズ部
１８…帯域合成部
１９…ＯＦＤＭフレーム構成部
２０…ＩＦＦＴ部
２１…送信部
３…受信装置
３１…受信部
３２…ＦＦＴ部
３３…デフレーム化部
３４…帯域分離部
３５…周波数デインターリーブ部
３５１、３５２…セグメント内デインターリーブ部
３５３…階層間セグメント間デインターリーブ部
３５４、３５５…階層間セグメント間デインターリーブ部
３６…合成分離部
３７ａ、３７ｂ…階層内セグメント間デインターリーブ部
３８…時間デインターリーブ部
３９…階層分離部
４０ａ、４０ｂ…レベル調整部
４１ａ、４１ｂ…デマッピング部
【図１】
2018088677.tif 000003
【図２】
2018088677.tif 000004
【図３】
2018088677.tif 000005
【図４】
2018088677.tif 000006
【図５】
2018088677.tif 000007
【図６】
2018088677.tif 000008
【図７】
2018088677.tif 000009
【図８】
2018088677.tif 000010
【図９】
2018088677.tif 000011
【図１０】
2018088677.tif 000012